(57)【要約】【課題】警報音の音量測定を一人でも容易に、かつ短時間で行える警報音試験装置を提供する。【解決手段】戸外点検器の一例であるドアホン１に設けられた試験スイッチ１１と、住宅情報盤２１に設けられ、試験スイッチ１１のオン操作を検知したときに信号を送出するスイッチ操作検知回路２２と、住宅情報盤２１に設けられ、スイッチ操作検知回路２２からの信号が入力されたとき、感知器作動時の警報音のデータをドアホン１に送出してスピーカ７からその警報音を発せさせるマイコン２３とからなる警報音試験装置を備えた。【選択図】　　　　図１
2004118615.tif 000002
【特許請求の範囲】
【請求項１】
住戸内の住宅情報盤に設定された警報音を住戸玄関に設けられた戸外点検器を通じて発生させる警報音試験装置であって、
戸外点検器に設けられた試験スイッチと、
住宅情報盤に設けられ、前記試験スイッチのオン操作を検知したときに信号を送出するスイッチ操作検知手段と、
住宅情報盤に設けられ、前記スイッチ操作検知手段からの信号が入力されたとき警報音のデータを戸外点検器に送出して警報音を発生させる警報音出力手段とからなることを特徴とする警報音試験装置。
【請求項２】
前記警報音出力手段は、戸外点検器から警報音が発せられているときに、再び前記スイッチ操作検知手段から信号が入力されると、戸外点検器から発せられている警報音を停止させることを特徴とする請求項１記載の警報試験装置。
【発明の詳細な説明】
【０００１】
【発明の属する技術分野】
本発明は、火災発生時や、ガス漏れ時に戸外点検器、例えばドアホンから発せられる警報音の音量を騒音計で測定させるための警報音試験装置に関するものである。
【０００２】
【従来の技術】
従来、警報音の音量の測定を行う場合、まず、図３に示すように、住戸玄関に設置された戸外点検器の一例であるドアホン１の試験端子カバー２の裏側に設けられた点検ジャック３にケーブルコネクタ（図示せず）を差し込んで外部試験器（図示せず）と接続状態にし、次に、その外部試験器に設けられたスタートスイッチを押す。この時、ドアホン１と接続された外部試験器は、住戸内にそれぞれ設置された感知器等の動作試験を行った後に、ドアホン１と接続されている住宅情報盤（図示せず）に予め設定された感知器作動時の警報音をドアホン１から発生させてその音量を騒音計で測定できるようにすると共に、ドアホン１の警報表示灯４を制御して、その警報表示灯４が正常に点滅しているかどうか、また、ドアホン１の警報表示灯４と住宅情報盤との間の配線の断線及び短絡の有無を確認していた。この図に示す５は通電表示灯、６は呼出ボタンである。
なお、本発明と関係あると思われる特許文献は見当たらなかった。
【０００３】
【発明が解決しようとする課題】
しかしながら、前述した従来の点検方法では、外部試験器のスタートスイッチを押して警報音をドアホン１から発生させて警報音の音量の測定を行うが、外部試験器のストップスイッチを押さないと、ドアホン１からの警報音が停止しなかったため、点検要員は、騒音計を持ちながら警報音の音量を測定し、その音量の測定後に外部試験器のストップスイッチを押してドアホン１からの警報音を停止させるという煩雑な作業を行わなければならなかった。
【０００４】
また、ドアホン１と外部試験器とをケーブルコネクタで接続する作業を要するので、戸数の多い共同住宅等ではその作業に要する時間がロスになっていた。
【０００５】
本発明は、かかる課題を解決するためになされたもので、警報音の音量測定を一人でも容易に、かつ短時間で行える警報音試験装置を提供することを目的とする。
【０００６】
【課題を解決するための手段】
本発明に係る警報音試験装置は、住戸内の住宅情報盤に設定された警報音を住戸玄関に設けられた戸外点検器を通じて発生させる警報音試験装置であって、戸外点検器に設けられた試験スイッチと、住宅情報盤に設けられ、試験スイッチのオン操作を検知したときに信号を送出するスイッチ操作検知手段と、住宅情報盤に設けられ、前イッチ操作検知手段からの信号が入力されたとき警報音のデータを戸外点検器に送出して警報音を発生させる警報音出力手段とからなっている。
【０００７】
また、本発明に係る警報音試験装置は、警報音出力手段は、戸外点検器から警報音が発せられているときに、再びスイッチ操作検知手段から信号が入力されると、戸外点検器から発せられている警報音を停止させる。
【０００８】
【発明の実施の形態】
図１は本発明の実施の形態に係る警報音試験装置を説明するための概略回路図、図２は警報音試験装置の一部を構成する戸外点検器の一例を示すドアホンの外観斜視図である。なお、図３で説明した従来例と同一又は相当部分には同じ符号を付し説明を省略する。
本実施の形態の警報音試験装置は、図１に示すように、ドアホン１に設けられた試験スイッチ１１と、例えばＧＰ型３級受信機能を有する住宅情報盤２１に設けられたスイッチ操作検知回路２２（スイッチ操作検知手段）と、住宅情報盤２１に設けられたマイコン２３に備えられた警報音出力部２３ａ（警報音出力手段）とからなっている。
【０００９】
試験スイッチ１１が設けられたドアホン１は、住戸外の例えば住戸玄関に設けられており、警報表示灯４と、通電表示灯５と、呼出ボタン６と、呼出ボタン６に並列に接続されたスピーカ７とを有している。スイッチ操作検知回路２２及び警報音出力部２３ａが設けられた住宅情報盤２１は、住戸内に設置されて前記ドアホン１に各種配線を通じて接続されており、マイコン２３にそれぞれ接続された呼出検出／増幅回路２４と表示灯回路２５とを有している。
【００１０】
前記の試験スイッチ１１は、例えばタクトスイッチからなり、住宅情報盤２１のスイッチ操作検知回路２２と接続されている。この試験スイッチ１１は、通常、ドアホン１の試験スイッチカバー２に覆われており、試験スイッチカバー２を引き上げたときに露出するようになっている（図２参照）。並列接続された呼出ボタン６及びスピーカ７は、住宅情報盤２１の呼出検出／増幅回路２４と接続され、警報表示灯４は、住宅情報盤２１の表示灯回路２５と接続され、通電表示灯５は、住宅情報盤２１の定電圧回路（図示せず）と接続されている。なお、住宅情報盤２１の呼出検出／増幅回路２４は、ドアホン１の呼出ボタン６がオンされたことを検出する呼出検出回路としての機能、及び住宅情報盤２１の警報音出力部２３ａから出力される警報音データを増幅して、ドアホン１のスピーカ７に送出する増幅回路としての機能を有している。
【００１１】
住宅情報盤２１に設けられたスイッチ操作検知回路２２は、例えばフォトカプラ２２ａからなり、ドアホン１の試験スイッチ１１がオンされたときにフォトカプラ２２ａがオンし、マイコン２３の警報音出力部２３ａに入力されているＨｉｇｈレベルの出力信号をＬｏｗ　レベルの信号に反転する。このＬｏｗ　レベルの信号は、試験スイッチ１１のオン操作に基づく１パルスである。
【００１２】
マイコン２３の警報音出力部２３ａは、スイッチ操作検知回路２２からのＬｏｗ　レベルのパルス信号が入力されると、初期設定時にオフである試験フラグをオンしてメモリ（図示せず）に格納し、そのメモリに予め格納された複数の警報音データのうち、例えば感知器作動時の１サイクル分の警報音データを読み出してアナログ変換し、呼出検出／増幅回路２４を介してドアホン１のスピーカ７に送出して警報音を発生させ、警報音データの送出終了時は、試験フラグをオフして前記メモリに格納する。なお、マイコン２３は、警報音データを送出した際、表示灯回路２５のオン・オフ制御を行って警報表示灯４を点滅させるようになっている。
【００１３】
また、警報音出力部２３ａは、スピーカ７から警報音が発せられているとき、つまり、前記メモリに格納されている試験フラグがオンのときに、再び試験スイッチ１１がオンされたことを示すＬｏｗ　レベルのパルス信号の入力を検知したときは、試験フラグをオフして前記メモリに格納すると共に、警報音データをドアホン１のスピーカ７へ送出する動作を停止し、スピーカ７から発せられている警報音を停止させる。この時、マイコン２３は、表示灯回路２５のオフ制御を行って警報表示灯４を消灯させるようになっている。
【００１４】
前記の１サイクル分の警報音は、例えば、ブザー音と音声警報メッセージとからなり、以下の警報音がスピーカ７から発せられるようになっている。例えば、「ファンフォン・ファンフォン・ファンフォン・火事です・火事です・火災が発生しました・安全を確認の上避難してください・ビュービュービュー・ビュービュービュー・ビュービュービュー」である。
【００１５】
次に、本実施の形態の警報音試験装置による警報音の音量測定時の動作を説明する。
まず、図２に示すようにドアホン１の試験スイッチカバー２を引き上げてから試験スイッチ１１を押してオンすると、住宅情報盤２１に設けられたスイッチ操作検知回路２２のフォトカプラ２２ａがオンする。この時、発光ダイオードが発光してフォトトランジスタがオンするので、Ｈｉｇｈレベルの出力信号がＬｏｗ　レベルの信号に反転し、試験スイッチ１１のオン操作に基づく１パルスがマイコン２３に入力する。このマイコン２３は、Ｌｏｗ　レベルの１パルスの入力を検知すると、警報音の音量測定試験と認識して、初期設定時にオフである試験フラグをオンしてメモリに格納し、そのメモリに予め格納されている感知器作動時のブザー音と音声警報メッセージの警報音データ（１サイクル分）を順にメモリから読み込んでアナログ変換し、呼出検出／増幅回路２４で増幅してドアホン１のスピーカ７に送出し、また、表示灯回路２５のオン・オフ制御を行って警報表示灯４を点滅させる。
【００１６】
この時、ドアホン１のスピーカ７は、前述したように、まず「ファンフォン」というブザー音を３回繰り返し、その後に「火事です・火事です・・・」という音声警報メッセージを発し、そして最後に「ビュービュービュー」というブザー音を３回繰り返す。そして、マイコン２３は、１サイクル分の警報音データの送出を終了すると、つまり、スピーカ７から発せられている警報音が自動的に停止すると、オンした試験フラグをオフして前記メモリに格納すると共に、表示灯回路２５のオフ制御を行い、点滅を繰り返している警報表示灯４を消灯させる。また、このブザー音と音声警報メッセージがスピーカ７から発せられているときに、再び試験スイッチ１１をオンすると、スイッチ操作検知回路２２のフォトカプラ２２ａが再びオンして、Ｌｏｗ　レベルの１パルスをマイコン２３に出力する。この時、マイコン２３は、警報音の音量測定試験終了と判断して、オンした試験フラグをオフにして前記メモリに格納し、警報音データのスピーカ７への送出動作を停止して、スピーカ７から発せられている警報音を停止すると共に、表示灯回路２５のオフ制御を行って点滅を繰り返している警報表示灯４を消灯させる。
【００１７】
以上のように本実施の形態においては、ドアホン１に設けられた試験スイッチ１１をオンしたときに、住宅情報盤２１に設定された１サイクル分の警報音データがドアホン１に入力されてスピーカ７からそのデータに基づく警報音（１サイクル分）が発せられるようにしたので、従来必要であった外部試験器が不要になり、このため、一人の点検要員での警報音の音量測定が可能になり、作業時間のロスを少なく抑えることができる。
【００１８】
また、再び試験スイッチ１１をオンしたときスピーカ７から発せられている警報音を途中で停止できるようにしたので、１サイクル分の警報音が終了するまでに音量の測定を終了した場合には、その警報音を即座に切ることができ、警報音の音量測定を短時間で行えるという効果がある。
【００１９】
本実施の形態では、音量測定時に、表示灯回路２５のオン・オフ制御を行って警報表示灯４を点滅させるようにしているので、ドアホン１の警報表示灯４が不良品かどうかの確認や、警報表示灯４と住戸内の住宅情報盤２１との間の配線の断線及び短絡の有無を確認することができる。つまり、表示灯回路２５のオン・オフ制御時に警報表示灯４が点滅していれば、ドアホン１の警報表示灯４が正常であるということが判ると共に、警報表示灯４と住宅情報盤２１との間の配線が正常であるということが判る。また、警報表示灯４が消灯していた場合は、警報表示灯４そのものが異常、或いは前記の配線が断線又は短絡してると確認することができる。
【００２０】
なお、前記の実施の形態では、ドアホン１に設けられた試験スイッチ１１をオンしたときに、１サイクル分の警報音がスピーカ７から発せられるようにしたが、その１サイクル分の警報音が所定回数繰り返し発せられるようにし、その回数を繰り返したときに自動的に停止するようにしてもよい。また、戸外点検器としてドアホン１を用いて説明したが、ドアホン１とは別に設けられた専用の点検器を用いるようにしてもよい。
【００２１】
【発明の効果】
以上のように本発明によれば、住戸玄関に設置された戸外点検器に設けられた試験スイッチをオンしたときに、住宅情報盤からの警報音が戸外点検器から発せられるようにしたので、従来必要であった外部試験器が不要になり、このため、一人の点検要員での警報音の音量測定が可能になり、作業時間のロスを少なく抑えることができるという効果がある。
【００２２】
また、本発明によれば、再び試験スイッチをオンしたとき戸外点検器から発せられている警報音を途中で停止できるようにしたので、警報音が終了するまでに音量の測定を終了した場合には、その警報音を即座に切ることができ、警報音の音量測定を短時間で行えるという効果がある。
【図面の簡単な説明】
【図１】本発明の実施の形態に係る警報音試験装置を説明するための概略回路図である。
【図２】警報音試験装置の一部を構成する戸外点検器の一例を示すドアホンの外観斜視図である。
【図３】従来のドアホンを示す外観斜視図である。
【符号の説明】
１　ドアホン、２　試験スイッチカバー、４　警報表示灯、５　通電表示灯、６　呼出ボタン、７　スピーカ、１１　試験スイッチ、２１　住宅情報盤、
２２　スイッチ操作検知回路、２２ａ　フォトカプラ、２３　マイコン、
２４　増幅回路、２５　表示灯回路。
【図１】
2004118615.tif 000003
【図２】
2004118615.tif 000004
【図３】
2004118615.tif 000005